(57)【要約】【課題】明るいモノクロ映像を表示することができるようにする。【解決手段】表示装置１は、表示素子１５と、表示素子１５に向けて複数原色の光を発する光源装置３０と、光源装置２０の動作モードとして同時モードと順次モードの何れかを選択する選択手段（メインコントローラ１６：ステップＳ１６，Ｓ３６）と、同時モードが選択された場合に、光源装置３０に複数原色の光を同時に発せさせ、順次モードが選択された場合に、光源装置３０に複数原色の光を順次発せさせる光源制御手段（メインコントローラ１６：ステップＳ１８，Ｓ２０，Ｓ３８，Ｓ４０）と、を備える。【選択図】図１
2015041022.tif 000002
【特許請求の範囲】
【請求項１】
表示素子と、
前記表示素子に向けて複数原色の光を発する光源装置と、
前記光源装置の動作モードとして同時モードと順次モードの何れかを選択する選択手段と、
前記選択手段によって同時モードが選択された場合に、前記光源装置に複数原色の光を同時に発せさせ、前記選択手段によって順次モードが選択された場合に、前記光源装置に複数原色の光を順次発せさせる光源制御手段と、を備える、
ことを特徴とする表示装置。
【請求項２】
入力される映像信号の映像をカラーからモノクロに変換することを有効及び無効にすることが可能な映像信号処理部と、
前記映像信号処理部によって出力された映像信号に基づき前記表示素子を駆動する表示コントローラと、
前記選択手段によって同時モードが選択された場合に、前記映像信号処理部による映像のカラーからモノクロへの変換を有効にし、前記選択手段によって順次モードが選択された場合に、前記映像信号処理部による映像のカラーからモノクロへの変換を無効にする映像制御手段と、を更に備える、
ことを特徴とする請求項１に記載の表示装置。
【請求項３】
入力される映像信号の映像がカラーとモノクロの何れかであるかを判別する判別手段を更に備え、
前記判別手段によってカラーである旨の判別がされた場合に、前記選択手段が順次モードを選択し、前記判別手段によってモノクロである旨の判別がされた場合に、前記選択手段が順次モードを選択する、
ことを特徴とする請求項１又は２に記載の表示装置。
【請求項４】
前記光源制御手段は、前記選択手段によって同時モードが選択された場合における前記光源装置による複数原色の光の発光強度を、前記選択手段によって順次モードが選択された場合における前記光源装置による複数原色の光の発光強度よりも低くする、
ことを特徴とする請求項１から３の何れか一項に記載の表示装置。
【請求項５】
前記光源装置による複数原色の光の発光強度を個別に調整する駆動回路を更に備える、
ことを特徴とする請求項１から４の何れか一項に記載の表示装置。
【請求項６】
前記表示素子によって生成された映像を投影する投影光学系を更に備える、
ことを特徴とする請求項１から５の何れか一項に記載の表示装置。
【請求項７】
表示素子と、前記表示素子に向けて複数原色の光を発する光源装置とを有する表示装置を制御する方法において、
前記光源装置の動作モードとして同時モードと順次モードの何れかを選択する選択ステップと、
前記選択手段によって同時モードが選択された場合に、前記光源装置に複数原色の光を同時に発せさせ、前記選択手段によって順次モードが選択された場合に、前記光源装置に複数原色の光を順次発せさせる光源制御ステップと、を備える、
ことを特徴とする表示装置の制御方法。
【請求項８】
表示素子と、前記表示素子に向けて複数原色の光を発する光源装置と、を備える表示装置のコンピュータに、
前記光源装置の動作モードとして同時モードと順次モードの何れかを選択する選択機能と、
前記選択機能によって同時モードが選択された場合に、前記光源装置に複数原色の光を同時に発せさせ、前記選択機能によって順次モードが選択された場合に、前記光源装置に複数原色の光を順次発せさせる光源制御機能と、を実現させるためのプログラム。
【発明の詳細な説明】
【技術分野】
【０００１】
本発明は、表示装置、表示装置の制御方法及びプログラムに関する。
【背景技術】
【０００２】
投影型表示装置として、いわゆるフィールドシーケンシャル方式（時分割方式）で動作する投影型表示装置がある（特許文献１参照）。フィールドシーケンシャル方式の投影型表示装置は表示素子と、その表示素子に向けて光を発する赤色光源、緑色光源及び青色光源とを備えるものである。表示素子によって赤色映像、緑色映像及び青色映像が高速で順次時分割に生成され、赤色光源、緑色光源及び青色光源が高速で順次時分割に点灯し、赤色光源、緑色光源及び青色光源の点灯タイミングが同じ色の映像の生成タイミングに同期する。
【先行技術文献】
【特許文献】
【０００３】
【特許文献１】特開２０１１−１１３８７４号公報
【発明の概要】
【発明が解決しようとする課題】
【０００４】
ところで、フィールドシーケンシャル方式の投影型表示装置では、投影される映像がモノクロ映像の場合でも、赤色光源、緑色光源及び青色光源が順次時分割に点灯されるため、モノクロ映像を明るくするのに限度がある。
そこで、本発明が解決しようとする課題は、明るいモノクロ映像を表示することができるようにすることである。
【課題を解決するための手段】
【０００５】
以上の課題を解決するために、本発明に係る表示装置は、表示素子と、前記表示素子に向けて複数原色の光を発する光源装置と、前記光源装置の動作モードとして同時モードと順次モードの何れかを選択する選択手段と、前記選択手段によって同時モードが選択された場合に、前記光源装置に複数原色の光を同時に発せさせ、前記選択手段によって順次モードが選択された場合に、前記光源装置に複数原色の光を順次発せさせる光源制御手段と、を備える。
【０００６】
本発明に係る表示装置の制御方法は、表示素子と、前記表示素子に向けて複数原色の光を発する光源装置とを有する表示装置を制御する方法において、前記光源装置の動作モードとして同時モードと順次モードの何れかを選択する選択ステップと、前記選択手段によって同時モードが選択された場合に、前記光源装置に複数原色の光を同時に発せさせ、前記選択手段によって順次モードが選択された場合に、前記光源装置に複数原色の光を順次発せさせる光源制御ステップと、を備える。
【０００７】
本発明に係るプログラムは、表示素子と、前記表示素子に向けて複数原色の光を発する光源装置と、を備える表示装置のコンピュータに、前記光源装置の動作モードとして同時モードと順次モードの何れかを選択する選択機能と、前記選択機能によって同時モードが選択された場合に、前記光源装置に複数原色の光を同時に発せさせ、前記選択機能によって順次モードが選択された場合に、前記光源装置に複数原色の光を順次発せさせる光源制御機能と、を実現させるためのものである。
【発明の効果】
【０００８】
本発明によれば、光源装置が複数原色の光を同時に表示素子に向けて発するので、明るいモノクロ映像を表示することができる。
【図面の簡単な説明】
【０００９】
【図１】本発明の第１実施形態に係る表示装置のブロック図である。
【図２】（ａ）は表示装置の光源装置を順次モードで動作させるために表示コントローラが駆動回路に出力する調光信号のタイミングチャートを示したものであり、（ｂ）は光源装置を同時モードで動作させるために表示コントローラが駆動回路に出力する調光信号のタイミングチャートを示したものである。
【図３】手動設定モードにおいてメインコントローラが行う処理の流れを示したフローチャートである。
【図４】自動設定モードにおいてメインコントローラが行う処理の流れを示したフローチャートである。
【図５】本発明の第２実施形態に係る投影型表示装置の光学ユニットを示した平面図である。
【図６】本発明の第３実施形態に係る直視型表示装置の平面図である。
【図７】本発明の第３実施形態に係る直視型表示装置の側面図である。
【発明を実施するための形態】
【００１０】
以下に、本発明を実施するための形態について、図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１１】
〔第１の実施の形態〕
図１は、本発明の第１実施形態に係る表示装置１を示したブロック図である。
表示装置１は映像入力端子１１、映像信号変換部１２、映像信号処理部１３、表示コントローラ１４、表示素子１５、メインコントローラ１６、操作部１７、駆動回路２０及び光源装置３０等を備える。
【００１２】
この表示装置１は投影型表示装置（投影装置）又は直視型表示装置である。投影型表示装置とは、表示素子１５に生成された映像を投影レンズでスクリーンに投影するものであり、ユーザーがそのスクリーンの映像を見る。直視型表示装置とは、ユーザーが表示素子１５に生成された映像を直視することができるものをいう。この表示装置１は、フィールドシーケンシャル方式（面順次方式）でカラーの映像を表示するものである。フィールドシーケンシャル方式とは、１フレーム（１コマ）のカラー映像を時間で複数の原色映像（赤色映像、緑色映像及び青色映像）に分割して、それら原色映像を順次繰り返し表示することによって複数コマのカラー映像を生成するものである。
【００１３】
表示素子１５は空間光変調素子であり、より具体的にはＤＭＤ、透過型ＬＣＤパネル又は反射型ＬＣＤパネルである。表示素子１５は二次元アレイ状に配列された複数の画素などを有する。表示素子１５がＤＭＤである場合には、表示素子１５の画素が可動マイクロミラーであり、表示素子１５が透過型ＬＣＤパネル又は反射型ＬＣＤパネルである場合には、表示素子１５の画素が液晶素子である。
【００１４】
メインコントローラ１６はＣＰＵ及び記憶装置等を有する演算処理装置（コンピュータ）である。メインコントローラ１６の記憶装置は半導体メモリー又は磁気記憶装置であり、その記憶装置にはメインコントローラ１６にとって読み取り可能・実行可能なプログラム１６ａが格納されている。メインコントローラ１６は、そのプログラム１６ａを読み取って、そのプログラム１６ａに従った処理を行う。これによりメインコントローラ１６が表示装置１全体を統合的に制御する。
【００１５】
操作部１７は、ユーザーにより入力を受け付ける入力装置であり、例えば複数のスイッチ（押しボタン）若しくはダイヤル等からなる。ユーザーが操作部１７を操作すると、操作部１７が操作内容に応じた信号を無線又は有線によりメインコントローラ１６に出力する。
【００１６】
映像入力端子１１は、表示装置１の筐体に設けられている。外部機器（例えば、パソコン、携帯電話機、多機能携帯電話機、再生装置）の映像出力端子が映像信号ケーブルを介して映像入力端子１１に接続されて、外部機器によって出力された映像信号が映像入力端子１１に入力される。
【００１７】
映像入力端子１１に入力される信号がアナログ映像信号の場合、映像信号変換部１２がその入力アナログ映像信号を所定のフォーマットのデジタル映像信号に変換する。映像入力端子１１に入力される信号がデジタル映像信号である場合、映像信号変換部１２がその入力デジタル映像信号を所定のフォーマットに変換する。
【００１８】
映像信号処理部１３は、映像信号変換部１２によって出力された映像信号に対して各種の信号処理を行う。例えば、映像信号処理部１３は、映像信号変換部１２から入力した映像信号のスケーリングを行って、映像信号の画素数（解像度）を増減する。また、映像信号処理部１３は、スケーリングされた映像信号に基づく映像の座標変換（例えば、射影変換）を行うことによって、キーストーン補正若しくはフィッティング補正又はこれらの両方を行う。
更に、映像信号処理部１３は、映像信号変換部１２によって出力された映像信号の映像をカラーからモノクロ（グレースケール）に変換する機能を有する。
映像信号処理部１３は、信号処理した映像信号を表示コントローラ１４に出力する。
【００１９】
また、映像信号処理部１３は、映像信号変換部１２によって出力された映像信号を解析することによってその映像信号の映像がカラーとモノクロの何れであるかを判断する。そして、映像信号処理部１３は、その判別結果をメインコントローラ１６に出力する。例えば、映像信号処理部１３は、映像信号変換部１２によって出力された映像信号の画素の値を所定の判別式に代入して、それにより得られた値を所定の閾値と比較し、その比較結果をメインコントローラ１６に出力する。判別式によって得られた値が所定の閾値を超えれば、映像信号処理部１３に入力される映像信号の映像がカラーであり、判別式によって得られた値が所定の閾値以下であれば、映像信号処理部１３に入力される映像信号の映像がモノクロである。
【００２０】
表示コントローラ１４は、映像信号処理部１３から入力した映像信号に基づき表示素子１５を制御・駆動する。つまり、表示コントローラ１４が映像信号処理部１３から入力した映像信号に従って表示素子１５の画素毎にＰＷＭ制御又はＰＮＭ制御等をすることで、表示素子１５に照射される光が画素によって画素毎に変調される。これにより、表示素子１５によって映像が形成される。より具体的には、表示素子１５が赤色映像、緑色映像及び青色映像を順次繰り返し生成し、その繰り返しの１周期が表示素子１５によって１フレームの映像が生成される期間に相当する。赤色映像、緑色映像及び青色映像といってもこれらの映像の色は表示素子１５によって定まるのではなく、光源装置３０から表示素子１５に照射される光の色によって定まる。なお、表示素子１５によって１フレームの期間中に生成される赤色映像、緑色映像及び青色映像の同一画素の階調(輝度)が等しければ、その映像がモノクロ映像である。
【００２１】
また、表示コントローラ１４が調光信号を駆動回路２０に出力し、駆動回路２０が調光信号に従ったタイミングでその調光信号のレベルに従った強度で光源装置３０を点灯させる。
【００２２】
光源装置３０は、表示素子１５に向けて可視光を照射するものである。光源装置３０の動作モードが二つあり、第一の動作モードが順次モード（時分割モード）であり、第二の動作モードが同時モードである。
【００２３】
光源装置３０が順次モードで動作する場合には、光源装置３０が複数原色（赤、緑、青）の光を順次繰り返して表示素子１５に向けて照射する。より具体的には、光源装置３０は、表示素子１５によって生成される赤色映像、緑色映像及び青色映像と同じ色の光をそれらの映像に同期させて出射する。複数原色の光が表示素子１５を順次透過又は反射することによって順次生成された赤色映像、緑色映像及び青色映像が時間軸上で合成され、その合成映像がカラー映像として認識される。
光源装置３０が順次モードで動作する場合には、映像信号処理部１３によってカラー・モノクロ変換処理が行われない。
【００２４】
光源装置３０が同時モードで動作する場合には、光源装置３０が複数原色の光を同時に出射し、その加法混色された光（例えば、白色光）が表示素子１５に照射される。そして、光源装置３０が同時モードで動作する場合には、映像信号処理部１３によってカラー・モノクロ変換処理が行われる。そのため、赤色映像、緑色映像及び青色映像はそれぞれ同一の階調として、１フレームの期間で、同時に階調表現される。そのため、赤色映像、緑色映像及び青色映像の合成映像はモノクロ映像として認識される。
なお、同時モードでは、１フレームの期間に１回階調表現されれば済むが、カラーモードの場合と同様に、同じ階調が３回階調表現されるようにしてもよい。
【００２５】
光源装置３０は赤色光源（例えば、赤色ＬＥＤ）３１、緑色光源（例えば、緑色ＬＥＤ）３２及び青色光源（例えば、青色ＬＥＤ）３３を備える。赤色光源３１は赤色光を発するものであり、緑色光源３２は緑色光を発するものであり、青色光源３３は青色光を発するものである。光源装置３０が面発光型の光源装置である場合、表示素子１５が透過型の表示素子であり、この光源装置３０が表示素子１５に対向配置される。光源装置３０が面発光型の光源装置でない場合、光源装置３０は更に光学系（例えば、複数枚のレンズ、ダイクロイックミラー、反射鏡、インテグレータ光学素子（ライトトンネル或いはライトロッド）等からなる）を備え、この光学系は赤色光源３１によって発せられた赤色光、緑色光源３２によって発せられた緑色光及び青色光源３３によって発せられた青色光を一つの光軸にまとめて、これらの赤色光、緑色光及び青色光を表示素子１５に投射する。
【００２６】
なお、緑色光源３２が蛍光体を用いたものでもよい。つまり、緑色光源３２が蛍光体及び励起光光源（例えば紫外線光源又は青色光源）を有し、励起光光源によって発せられた励起光が蛍光体に照射されることによって、緑色の光源が発せられる。赤色光源３１及び青色光源３３についても同様である。
【００２７】
駆動回路２０は赤色光源用ドライバ２１、緑色光源用ドライバ２２及び青色光源用ドライバ２３を備える。これらドライバ２１，２２，２３は定電流型のＤＣＤＣコンバータ（スイッチングレギュレータ）等を有する。
【００２８】
図２は、表示コントローラ１４によって出力される調光信号のタイミングチャートである。赤色の調光信号は赤色光源用ドライバ２１に出力される信号であり、緑色の調光信号は緑色光源用ドライバ２２に出力される信号であり、青色の調光信号は青色光源用ドライバ２３に出力される信号である。赤色の調光信号が立ち上がっている期間が赤色光源３１の点灯期間であり、緑色の調光信号が立ち上がっている期間が緑色光源３２の点灯期間であり、青色の調光信号が立ち上がっている期間が青色光源３３の点灯期間である。赤色の調光信号のレベルが赤色光源３１の発光強度を表し、緑色の調光信号のレベルが緑色光源３２の発光強度を表し、青色の調光信号のレベルが青色光源３３の発光強度を表す。
【００２９】
光源装置３０を順次モードで動作させる場合には、表示コントローラ１４が図２（ａ）に示すような態様の調光信号を赤色光源用ドライバ２１、緑色光源用ドライバ２２及び青色光源用ドライバ２３にそれぞれ出力する。何れの色の調光信号も周期一定であり、これらの調光信号の立ち上がり期間が時間的にずれている。つまり、表示コントローラ１４は、赤色の調光信号を立ち上げる時に青色の調光信号を立ち下げ、緑色の調光信号を立ち上げる時に赤色の調光信号を立ち下げ、青色の調光信号を立ち上げる時に緑色の調光信号を立ち下げる。これら調光信号の立ち上がり時のレベルは等しくてもよいし、異なっていてもよい。
【００３０】
光源装置３０を同時モードで動作させる場合には、表示コントローラ１４が図２（ｂ）に示すような態様の調光信号を赤色光源用ドライバ２１、緑色光源用ドライバ２２及び青色光源用ドライバ２３にそれぞれ出力する。表示コントローラ１４は何れの調光信号も立ち上げた状態に保ち、何れの色の調光信号も常に立ち上がっている。これら調光信号の立ち上がり時のレベルは等しくてもよいし、異なっていてもよい。
【００３１】
光源装置３０を順次モードで動作させる場合であっても同時モードで動作させる場合であっても、赤色光源用ドライバ２１は、赤色の調光信号を増幅して、その増幅信号（信号のレベルは電流で表すものである）を赤色光源３１に出力する。つまり、赤色光源用ドライバ２１は、赤色の調光信号のレベルに応じた電流を赤色光源３１に出力する。同様に、緑色光源用ドライバ２２は緑色の調光信号のレベルに応じた電流を緑色光源３２に出力し、青色光源用ドライバ２３は青色の調光信号のレベルに応じた電流を青色光源３３に出力する。
【００３２】
光源装置３０を順次モードで動作させる場合、赤色、緑色及び青色の調光信号が順次繰り返し立ち上がるため、赤色光源３１、緑色光源３２及び青色光源３３が順次繰り返し点灯する。表示コントローラ１４はこれら調光信号のレベルを個別に調整することができるものであり、これら調光信号のレベルが個別に調整されることによって、赤色光、緑色光及び青色光を時間で合成した光のホワイトバランスが調整される。
なお、赤色の映像期間の長さ、緑色の映像期間の長さ及び青色の映像期間の長さがそれぞれ調整されてホワイトバランスが調整されるようにしてもよい。
【００３３】
光源装置３０を同時モードで動作させる場合、赤色、緑色及び青色の調光信号が常に立ち上がっているので、赤色光源３１、緑色光源３２及び青色光源３３が常に点灯する。表示コントローラ１４はこれら調光信号のレベルを個別に調整することができるものであり、これら調光信号のレベルが個別に調整されることによって、赤色光、緑色光及び青色光を加法混色した光のホワイトバランスが調整される。
【００３４】
同時モードにおける赤色の調光信号のレベルは、順次モードにおける赤色の調光信号のレベルに等しいか、或いは順次モードにおける赤色の調光信号のレベルよりも低い。緑色の調光信号及び青色の調光信号についても同様である。
同時モードにおける調光信号のレベルが順次モードにおける調光信号のレベルに等しければ、同時モードにおいて時間で合成されたモノクロ映像の明るさは、順次モードにおいて時間で合成されたカラー映像の明るさの約三倍となる。一方、同時モードにおける調光信号のレベルが順次モードにおける調光信号のレベルより低くても、同時モードにおける調光信号のレベルが順次モードにおける調光信号のレベルの三分の一以下でなければ、同時モードにおいて時間で合成されたモノクロ映像は順次モードにおいて時間で合成されたカラー映像よりも明るい。
【００３５】
以上のような調光信号を出力する表示コントローラ１４はマイコンからなるか、所定の論理回路からなる。この表示コントローラ１４はメインコントローラ１６の指令に従って動作し、メインコントローラ１６が表示コントローラ１４を制御する。つまり、メインコントローラ１６が順次モードの旨の指令を表示コントローラ１４に出力すると、表示コントローラ１４が上述のように図２（ａ）に示すような態様の調光信号を赤色光源用ドライバ２１、緑色光源用ドライバ２２及び青色光源用ドライバ２３にそれぞれ出力し、光源装置３０が順次モードで動作する。一方、メインコントローラ１６が同時モードの旨の指令を表示コントローラ１４に出力すると、表示コントローラ１４が上述のように図２（ｂ）に示すような態様の調光信号を赤色光源用ドライバ２１、緑色光源用ドライバ２２及び青色光源用ドライバ２３にそれぞれ出力し、光源装置３０が同時モードで動作する。
【００３６】
また、調光信号のレベルは、メインコントローラ１６によって決定される。つまり、表示コントローラ１４は、メインコントローラ１６の指令に従って調光信号のレベルを調整する。
【００３７】
また、メインコントローラ１６は映像信号処理部１３の制御も行う。つまり、メインコントローラ１６が補正パラメーターを設定するべく映像信号処理部１３を制御し、映像信号処理部１３がその補正パラメーターに従ったキーストーン補正もしくはフィッティング補正又はこれらの両方を行う。
【００３８】
また、メインコントローラ１６は、同時モードの旨の指令を表示コントローラ１４に出力する場合に、カラー・モノクロ変換の有効（enable）の指令を映像信号処理部１３に出力する。これにより、映像信号処理部１３が映像信号変換部１２によって出力された映像信号をカラーからモノクロ（グレースケール）に変換する。一方、メインコントローラ１６は、順次モードの旨の指令を表示コントローラ１４に出力する場合に、カラー・モノクロ変換の無効（disable）の指令を映像信号処理部１３に出力する。これにより映像信号処理部１３が映像信号変換部１２によって出力された映像信号をモノクロに変換しない。
【００３９】
メインコントローラ１６の動作モードとして手動設定モードと自動設定モードがある。つまり、ユーザーが操作部１７を操作することによって手動設定モードが選択されると、メインコントローラ１６が手動設定モードの旨を記憶し、メインコントローラ１６の動作モードが手動設定モードに設定される。一方、ユーザーが操作部１７を操作することによって自動設定モードが選択されると、メインコントローラ１６が自動設定モードの旨を記憶し、メインコントローラ１６の動作モードが自動設定モードに設定される。
【００４０】
手動設定モードでは、ユーザーが操作部１７を操作することによって同時モード（カラー・モノクロ変換の有効モード）と順次モード（カラー・モノクロ変換の無効モード）の中から選択することができる。
ユーザーが操作部１７を操作して同時モードを選択した場合には、その旨の信号が操作部１７からメインコントローラ１６に転送され、メインコントローラ１６が同時モードである旨を記憶する。そして、メインコントローラ１６が上述のように同時モードの旨の指令を表示コントローラ１４に出力するとともに、カラー・モノクロ変換の有効（enable）の指令を映像信号処理部１３に出力する。
一方、ユーザーが操作部１７を操作して順次モードを選択した場合には、その旨の信号が操作部１７からメインコントローラ１６に転送され、メインコントローラ１６が順次モードである旨を記憶する。そして、メインコントローラ１６が上述のように順次モードの旨の指令を表示コントローラ１４に出力するとともに、カラー・モノクロ変換の無効（disable）の指令を映像信号処理部１３に出力する。
【００４１】
自動設定モードでは、メインコントローラ１６が映像信号処理部１３に判別を行わせ、上述のようにメインコントローラ１６がその判別結果に基づいて同時モードと順次モードの何れかを選択する。
映像信号処理部１３の判別結果がモノクロ映像である旨の場合、メインコントローラ１６が上述のように同時モードの旨の指令を表示コントローラ１４に出力するとともに、カラー・モノクロ変換の有効（enable）の指令を映像信号処理部１３に出力する。
映像信号処理部１３の判別結果がカラー映像である旨の場合、メインコントローラ１６が上述のように順次モードの旨の指令を表示コントローラ１４に出力するとともに、カラー・モノクロ変換の無効（disable）の指令を映像信号処理部１３に出力する。
【００４２】
続いて、図３，図４を参照して、メインコントローラ１６がプログラム１６ａに従って行う処理の流れについて説明する。
【００４３】
図３，図４に示す処理が行われる前（表示装置１がシャットダウンされる前）にユーザーが操作部１７を操作することによって手動設定モードが選択されると、メインコントローラ１６が図３に示す処理を実行し、ユーザーが操作部１７を操作することによって自動設定モードが選択されると、メインコントローラ１６が図４に示す処理を実行する。図３，図４に示す処理が実行される前は、表示装置１の電源がオフとなって、映像信号変換部１２、映像信号処理部１３、表示コントローラ１４、駆動回路２０及び光源装置３０に電力が供給されていないが、メインコントローラ１６及び操作部１７に待機電力が供給されている状態である。
【００４４】
まず、図３に示す処理について説明する。
ユーザーが操作部１７の電源スイッチをオンにすると、メインコントローラ１６がその旨の信号に基づいて映像信号変換部１２、映像信号処理部１３、表示コントローラ１４、駆動回路２０及び光源装置３０の電源を投入して、映像信号変換部１２、映像信号処理部１３、表示コントローラ１４、駆動回路２０及び光源装置３０を起動させる（ステップＳ１２）。
【００４５】
次に、メインコントローラ１６が同時モード及び順次モードのうちデフォルトの動作モードを選択する（ステップＳ１３）。ここで、デフォルトの動作モードは、予め初期設定されたものであるか、前回の図３に示す処理が終了する前にその前回の図３に示す処理（特に、ステップＳ１６〜Ｓ２０）で設定されたものである。
【００４６】
デフォルトの動作モードが同時モードである場合には、メインコントローラ１６が図３に示すステップＳ１７，Ｓ１８と同様の処理を実行し、デフォルトの動作モードが順次モードである場合には、メインコントローラ１６が図３に示すステップＳ１９，Ｓ２０と同様の処理を実行する。これらの処理については後述する。
【００４７】
次に、メインコントローラ１６は、操作部１７の操作信号が入力されるまで処理を待機する（ステップＳ１４：ＮＯ）。そして、ユーザーが操作部１７を操作して、操作部１７からメインコントローラ１６へ操作信号が入力されると（ステップＳ１４：ＹＥＳ）、メインコントローラ１６がその操作信号の内容を判別する（ステップＳ１５，ステップＳ１６及びステップＳ２１）。ここで、ステップＳ１６においては、メインコントローラ１６がプログラム１６ａに基づき選択手段として機能する。つまり、ステップＳ１６におけるメインコントローラ１６の処理ステップは、メインコントローラ１６が光源装置３０の動作モードとして同時モードと順次モードの何れかを操作部１７の操作信号に基づいて選択する選択ステップに相当する。
【００４８】
操作部１７からメインコントローラ１６に入力される操作信号の内容が電源オフの旨である場合には（ステップＳ１５：ＮＯ、ステップＳ２１：ＹＥＳ）、メインコントローラ１６が映像信号変換部１２、映像信号処理部１３、表示コントローラ１４、駆動回路２０及び光源装置３０の電源を遮断して、映像信号変換部１２、映像信号処理部１３、表示コントローラ１４、駆動回路２０及び光源装置３０を停止させる（ステップＳ２２）。これにより、メインコントローラ１６が図３に示す処理を一旦終了した後に再実行し、再度ユーザーが操作部１７の電源スイッチをオンにするまでメインコントローラ１６が処理を待機する（再度の図３に示す処理のステップＳ１１：ＮＯ）。
【００４９】
操作部１７からメインコントローラ１６に入力される操作信号の内容がその他の対応処理に関するものである場合（ステップＳ１５：ＮＯ、ステップＳ２１：ＮＯ）、メインコントローラ１６が操作信号の内容に応じた対応処理を実行する（ステップＳ２３）。その後、メインコントローラ１６の処理がステップＳ１４に移行する。
【００５０】
操作部１７からメインコントローラ１６に入力される操作信号の内容が順次モードの旨である場合には、メインコントローラ１６が順次モードを選択する（ステップＳ１５：ＹＥＳ、ステップＳ１６：順次モード）。そして、メインコントローラ１６がカラー・モノクロ変換の無効の指令を映像信号処理部１３に出力するとともに（ステップＳ１９）、順次モードの旨の指令を表示コントローラ１４に出力する（ステップＳ２０）。そうすると、映像信号処理部１３が映像信号変換部１２によって出力された映像信号の映像をモノクロに変換せず、表示コントローラ１４が図２（ａ）に示すような態様の調光信号を赤色光源用ドライバ２１、緑色光源用ドライバ２２及び青色光源用ドライバ２３にそれぞれ出力する。そのため、赤色光源３１、緑色光源３２及び青色光源３３が順次時分割に点灯し、赤色映像、緑色映像及び青色映像が表示素子１５によって順次時分割に生成され、赤色光源３１、緑色光源３２及び青色光源３３の点灯タイミングと赤色映像、緑色映像及び青色映像の生成タイミングがそれぞれ同期する。これらの赤色映像、緑色映像及び青色映像が１フレームを分割した時間で各色の階調が表現され、時間軸で合成されて、その合成映像がカラー映像として認識される。メインコントローラ１６の処理はステップＳ２０の後にステップＳ１４に移行する。
【００５１】
操作部１７からメインコントローラ１６に入力される操作信号の内容が同時モードの旨である場合には、メインコントローラ１６が同時モードを選択する（ステップＳ１５：ＹＥＳ、ステップＳ１６：同時モード）。そして、メインコントローラ１６がカラー・モノクロ変換の有効の指令を映像信号処理部１３に出力するとともに（ステップＳ１７）、同時モードの旨の指令を表示コントローラ１４に出力する（ステップＳ１８）。そうすると、映像信号処理部１３が映像信号変換部１２によって出力された映像信号の映像をカラーからモノクロに変換し、表示コントローラ１４が図２（ｂ）に示すような態様の調光信号を赤色光源用ドライバ２１、緑色光源用ドライバ２２及び青色光源用ドライバ２３にそれぞれ出力する。そのため、赤色光源３１、緑色光源３２及び青色光源３３が同時に点灯し、各画素の画素値（階調値）が等しい赤色映像、緑色映像及び青色映像が表示素子１５によって１フレームの期間で、同時に階調表現される。赤色映像、緑色映像及び青色映像の合成映像がモノクロ映像として認識される。メインコントローラ１６の処理はステップＳ１８の後にステップＳ１４に移行する。
【００５２】
ここで、ステップＳ１７，Ｓ１９においては、メインコントローラ１６がプログラム１６ａに基づき映像制御手段として機能する。つまり、ステップＳ１７，Ｓ１９におけるメインコントローラ１６の処理ステップは、ステップＳ１６において同時モードが選択された場合にメインコントローラ１６が映像信号処理部１３による映像のカラーからモノクロへの変換を有効にし（ステップＳ１７）、ステップＳ１６において順次モードが選択された場合にメインコントローラ１６が映像信号処理部１３による映像のカラーからモノクロへの変換を無効にする（ステップＳ１９）映像制御ステップに相当する。
また、ステップＳ１８，Ｓ２０においては、メインコントローラ１６がプログラム１６ａに基づき光源制御手段として機能する。つまり、ステップＳ１８，Ｓ２０におけるメインコントローラ１６の処理ステップは、ステップＳ１６において同時モードが選択された場合にメインコントローラ１６が表示コントローラ１４を通じて光源装置３０に複数原色の光を同時に発せさせ（ステップＳ１８）、ステップＳ１６において順次モードが選択された場合にメインコントローラ１６が表示コントローラ１４を通じて光源装置３０に複数原色の光を順次繰り返し発せさせる（ステップＳ２０）光源制御ステップに相当する。
【００５３】
続いて、図４に示す処理について説明する。
図４に示すステップＳ３１，Ｓ３２，Ｓ３３の処理はそれぞれ図３に示すステップＳ１１，Ｓ１２，Ｓ１３の処理と同様であるので、ステップＳ３１，Ｓ３２，Ｓ３３の処理の説明を省略する。
【００５４】
ステップＳ３３の処理の後、メインコントローラ１６は、操作部１７の操作信号が入力されたか否かを判断する（ステップＳ３４）。そして、ユーザーが操作部１７を操作して、操作部１７からメインコントローラ１６へ操作信号が入力されると（ステップＳ３４：ＹＥＳ）、メインコントローラ１６がその操作信号の内容を判別する（ステップＳ４１）。操作部１７からメインコントローラ１６に入力される操作信号の内容が電源オフの旨である場合には（ステップＳ３１：ＹＥＳ）、メインコントローラ１６の処理がステップＳ４２に移行し、操作部１７からメインコントローラ１６に入力される操作信号の内容がその他の対応処理に関するものである場合（ステップＳ４１：ＮＯ）、メインコントローラ１６の処理がステップＳ４３に移行する。ステップＳ４２，Ｓ４３の処理はそれぞれ図３に示すステップＳ２２，Ｓ２３の処理と同様であるので、ステップＳ４２，Ｓ４３の処理の説明を省略する。
ステップＳ４２の処理後にメインコントローラ１６が図４に示す処理を一旦終了した後に再実行し、再度ユーザーが操作部１７の電源スイッチをオンにするまでメインコントローラ１６が処理を待機する（ステップＳ３１：ＮＯ）。ステップＳ４３の処理後は、メインコントローラ１６の処理がステップＳ３４に移行する。
【００５５】
一方、ユーザーが操作部１７を操作せず、操作部１７からメインコントローラ１６へ操作信号が入力されないと（ステップＳ３４：ＮＯ）、メインコントローラ１６が映像信号処理部１３に判別を行わせる（ステップＳ３５）。つまり、映像信号処理部１３が判別手段に相当する。これにより、映像信号処理部１３が映像信号の映像のカラー・モノクロの判別を行い、その判別結果が映像信号処理部１３からメインコントローラ１６に出力される。なお、映像信号処理部１３が判別を行うのではなく、メインコントローラ１６が映像信号処理部１３に入力される映像信号の映像のカラー・モノクロの判別を行ってもよい。この場合、メインコントローラ１６が判別手段に相当する。
【００５６】
そして、メインコントローラ１６は、その判別結果がモノクロ映像の旨であるか、カラー映像の旨であるかを判定する（ステップＳ３６）。ここで、ステップＳ３６においては、プログラム１６ａがメインコントローラ１６を選択手段として機能させる。つまり、ステップＳ３６におけるメインコントローラ１６の処理ステップは、光源装置３０の動作モードとして同時モード（モノクロ映像の旨）と順次モード（カラー映像の旨）の何れかを判別結果に基づいて選択する選択ステップに相当する。
【００５７】
映像信号処理部１３に入力される映像信号の映像がモノクロである場合（ステップＳ３６：ＹＥＳ）、メインコントローラ１６がステップＳ３７，Ｓ３８の処理を実行する。ステップＳ３７，Ｓ３８の処理はそれぞれ図３に示すステップＳ１７，Ｓ１８の処理と同様であるので、ステップＳ３７，Ｓ３８の処理の説明を省略する。ステップＳ３７，Ｓ３８の処理後にメインコントローラ１６の処理がステップＳ３４に移行する。なお、ステップＳ３７の処理を省略してもよい（特に、映像信号変換部１２から映像信号処理部１３に入力される映像信号の映像が完全なモノクロ映像である場合。完全なモノクロ映像とは全ての画素の赤の階調値と緑の階調値と青の階調値が等しいことをいう）。
【００５８】
映像信号処理部１３に入力される映像信号の映像がカラーである場合（ステップＳ３６：ＮＯ）、メインコントローラ１６がステップＳ３９，Ｓ４０の処理を実行する。ステップＳ３９，Ｓ４０の処理はそれぞれ図３に示すステップＳ１９，Ｓ２０の処理と同様であるので、ステップＳ１９，Ｓ２０の処理の説明を省略する。ステップＳ３９，Ｓ４０の処理後にメインコントローラ１６の処理がステップＳ３４に移行する。
【００５９】
本発明の実施の形態によれば、次のような作用効果を奏する。
【００６０】
（１）  同時モードでは複数原色の光が表示素子１５に同時に照射されるので、明るいモノクロ映像が表示される。特に、同時モード（ステップＳ１８，Ｓ３８）における調光信号のレベルが順次モード（ステップＳ２０，Ｓ４０）における調光信号のレベルの三分の一を超えていれば、同時モードにおいて表示されるモノクロ映像を順次モードにおいて表示されるカラー映像よりも明るくすることができる。
【００６１】
（２）  同時モードの際には表示装置１に入力される映像信号の映像がモノクロに変換されるため（ステップＳ１７，Ｓ３７）、表示される映像が適切なモノクロ映像になる。特に自動設定モード（図４参照）では、表示装置１に入力される映像信号の映像がモノクロと判別された場合でも（ステップＳ３６：ＹＥＳ）、その映像が完全なモノクロ映像でないこともあるが、そのような場合でも表示される映像が適切なモノクロ映像になる。
【００６２】
（３）  自動設定モードでは、表示装置１に入力される映像信号の映像がモノクロと判別された場合（ステップＳ３６：ＹＥＳ）、光源装置３０が自動的に同時モードで動作するので（ステップＳ３８）、ユーザーが特別な操作をすることなく明るいモノクロ映像が表示される。
【００６３】
（４）  同時モード（ステップＳ１７，Ｓ３８）における調光信号のレベルが順次モード（ステップＳ２０，Ｓ４０）における調光信号のレベルよりも低くすることによって、光源装置３０等の消費電力が表示装置１の定格電力（最大消費電力）を超えないようにすることができるとともに、表示されるモノクロ映像が適度な明るさ（明るすぎず、暗すぎず）になって省電力も実現することができる。
【００６４】
（５）  赤色光源用ドライバ２１、緑色光源用ドライバ２２及び青色光源用ドライバ２３が赤色光源３１、緑色光源３２及び青色光源３３にそれぞれ接続され、赤色光源用ドライバ２１、緑色光源用ドライバ２２及び青色光源用ドライバ２３に出力される調光信号が表示コントローラ１４によって個別に調整されるため、赤色光、緑色光及び青色光を加法混色した光のホワイトバランスを調整することができる。
【００６５】
〔第１の実施の形態の変形例〕
上記の実施の形態では、同時モードと順次モードの何れの場合でも、１フレームの周期中に表示素子１５が赤色映像、緑色映像及び青色映像を一回ずつ生成した。それに対して、同時モードと順次モードの何れの場合でも、１フレームの周期中に表示素子１５が赤色映像、緑色映像及び青色映像のうち少なくとも何れか一つの映像を複数回生成してもよい。その場合、順次モードでは、光源装置３０は、表示素子１５によって生成される赤色映像、緑色映像及び青色映像と同じ色の光をそれらの映像に同期させて出射する。
【００６６】
〔第２の実施の形態〕
図５を参照して、本発明の第２の実施の形態について説明する。
図５は、投影型表示装置１Ａの光学ユニットを示した平面図である。この投影型表示装置１Ａは、図１に示す表示装置１を適用した投影装置である。つまり、この投影型表示装置１Ａは、図１に示す映像入力端子１１、映像信号変換部１２、映像信号処理部１３、表示コントローラ１４、表示素子１５、メインコントローラ１６、操作部１７、駆動回路２０及び光源装置３０等を備えるとともに、投影レンズユニット４０を備える。
【００６７】
ここで、光源装置３０は赤色光源３１、緑色光源３２及び青色光源３３を備えるとともに、光学系３４を更に備える。赤色光源３１は赤色発光ダイオードであり、青色光源３３は青色発光ダイオードである。
【００６８】
赤色光源３１と青色光源３３はこれらの光軸が直交するように配置されている。
緑色光源３２は蛍光体を用いたものである。つまり、緑色光源３２は、励起光を発して、その励起光を緑色光に変換する。緑色光源３２は、複数の励起光光源３２ａ、複数のコリメータレンズ３２ｂ、レンズ群３２ｃ、レンズ群３２ｄ、蛍光体ホイール３２ｅ及びスピンドルモーター３２ｆを有する。
【００６９】
複数の励起光光源３２ａは、二次元アレイ状に配列されている。これら励起光光源３２ａは、レーザー励起光を発するレーザーダイオードである。励起光光源３２ａから発するレーザー励起光の波長帯域は、青色帯域又は紫外線帯域であるが、特に限定するものではない。これらの励起光光源３２ａの光軸が青色光源３３の光軸と直交する。また、これら励起光光源３２ａは図１に示すドライバ２２によって駆動され、ドライバ２２が緑色の調光信号を増幅して、その増幅信号を励起光光源３２ａに赤色光源３１に出力する。
【００７０】
コリメータレンズ３２ｂが励起光光源３２ａにそれぞれ対向配置され、各励起光光源３２ａから発したレーザー励起光がコリメータレンズ３２ｂによってコリメートされる。レンズ群３２ｃ及びレンズ群３２ｄは、同一光軸上に配置されている。レンズ群３２ｃ及びレンズ群３２ｄは、コリメータレンズ３２ｂによってコリメートされたレーザー励起光の光束群を一つに纏めて、集光させる。
【００７１】
蛍光体ホイール３２ｅは、複数の励起光光源３２ａが二次元アレイ状に配列された面に対向配置されている。レンズ群３２ｃ及びレンズ群３２ｄが蛍光体ホイール３２ｅと励起光光源３２ａとの間に配置されており、レンズ群３２ｃ及びレンズ群３２ｄの光軸が蛍光体ホイール３２ｅに直交する。また、レンズ群３２ｃ，３２ｄの光軸は、赤色光源３１の光軸と平行であり、かつ、赤色光源３１の光軸に直交する。
【００７２】
レンズ群３２ｃ及びレンズ群３２ｄによって集光されたレーザー励起光は蛍光体ホイール３２ｅに照射される。蛍光体ホイール３２ｅは、レーザー励起光によって励起されて緑色光を発する緑色蛍光体を鏡面ホイールに形成したものである。そのため、レーザー励起光が蛍光体ホイール３２ｅの緑色蛍光体に照射されることによって、その緑色蛍光体から緑色光が発する。蛍光体ホイール３２ｅがスピンドルモーター３２ｆに連結され、蛍光体ホイール３２ｅがスピンドルモーター３２ｆによって回転される。
【００７３】
なお、緑色光源３２を上述の構成から緑色発光ダイオードに変更してもよい。その場合、蛍光体ホイール３２ｅとレンズ群３２ｄの光軸が交差する個所に緑色発光ダイオードを設ける。
【００７４】
続いて、光学系３４について詳細に説明する。光学系３４は、赤色光源３１によって発せられた赤色光の光軸、緑色光源３２によって発せられた緑色光の光軸及び青色光源３３によって発せられた青色光の光軸を一つに重ねて、これらの赤色光、緑色光及び青色光を表示素子１５に照射するものである。この光学系３４は、レンズ群３４ａ、レンズ３４ｂ、レンズ群３４ｃ、第一ダイクロイックミラー３４ｄ、第二ダイクロイックミラー３４ｅ、レンズ３４ｆ、反射ミラー３４ｇ、レンズ３４ｈ、インテグレータ光学素子３４ｉ、レンズ３４ｊ、光軸変換ミラー３４ｋ、集光レンズ群３４ｍ、照射ミラー３４ｐ及び照射レンズ３４ｑを有する。
【００７５】
レンズ群３４ａは、青色光源３３に対向する。レンズ群３４ａ及びレンズ３４ｂは、これらの光軸が一直線状になるように配列されている。レンズ群３４ａ及びレンズ３４ｂは、それらの光軸がレンズ群３２ｃとレンズ群３２ｄの間でレンズ群３２ｃ及びレンズ群３２ｄの光軸に対して直交するように配置されている。
【００７６】
第一ダイクロイックミラー３４ｄは、レンズ群３４ａとレンズ３４ｂとの間に配置されているとともに、レンズ群３２ｃとレンズ群３２ｄとの間に配置されている。第一ダイクロイックミラー３４ｄは、レンズ群３２ｃ，３４ｄの光軸に対して４５°で斜交するとともに、レンズ群３４ａ及びレンズ３４ｂの光軸に対して４５°で斜交する。第一ダイクロイックミラー３４ｄは、励起光光源３２ａによって発せられた波長帯域の励起光（例えば、青色の励起光）を蛍光体ホイール３２ｅに向けて透過させるととともに、青色光源３３によって発せされた青色波長帯域の光を第二ダイクロイックミラー３４ｅに向けて透過させる。また、第一ダイクロイックミラー３４ｄは、蛍光体ホイール３２ｅによって発せられた緑色波長帯域の光を第二ダイクロイックミラー３４ｅに向けて反射させる。
【００７７】
レンズ群３４ｃは、赤色光源３１に対向する。レンズ群３４ｃは、その光軸がレンズ３４ｂに関して青色光源３３及び第一ダイクロイックミラー３４ｄの反対側でレンズ群３４ａ及びレンズ３４ｂの光軸に対して直交するように配置されている。
【００７８】
第二ダイクロイックミラー３４ｅは、レンズ群３４ｃに関して赤色光源３１の反対側に配置されているとともに、レンズ３４ｂに関して第一ダイクロイックミラー３４ｄの反対側に配置されている。第二ダイクロイックミラー３４ｅは、レンズ群３４ｃの光軸に対して４５°で斜交するとともに、レンズ群３４ａ及びレンズ３４ｂの光軸に対して４５°で斜交する。第二ダイクロイックミラー３４ｅは、第一ダイクロイックミラー３４ｄからの青色及び緑色の波長帯域の光をレンズ３４ｆに向けて透過させるとともに、赤色光源３１によって発せられた赤色の波長帯域の光をレンズ３４ｆに向けて反射させる。
【００７９】
レンズ３４ｆは、第二ダイクロイックミラー３４ｅに関してレンズ３４ｂの反対側に配置されている。レンズ３４ｆは、その光軸がレンズ３４ｂ及びレンズ群３４ａの光軸と重なるように配置されている。
【００８０】
レンズ３４ｈ、インテグレータ光学素子３４ｉ及びレンズ３４ｊは、これらの光軸が一直線状になるように配置されている。レンズ３４ｈ、インテグレータ光学素子３４ｉ及びレンズ３４ｊの光軸はレンズ３４ｆ、レンズ３４ｂ及びレンズ群３４ａの光軸に直交する。
【００８１】
反射ミラー３４ｇは、レンズ３４ｈの光軸とレンズ３４ｆの光軸が交差する個所に配置されている。反射ミラー３４ｇは、レンズ３４ｆ，３４ｂ及びレンズ群３４ａの光軸に対して４５°で斜交するとともに、レンズ３４ｈ、インテグレータ光学素子３４ｉ及びレンズ３４ｊの光軸に対して４５°で斜交する。赤色光、緑色光及び青色光はレンズ３４ｆ及びレンズ３４ｈによって集光されつつ、反射ミラー３４ｇによってインテグレータ光学素子３４ｉに向けて反射される。
【００８２】
インテグレータ光学素子３４ｉは、ライトトンネル又はライトロッドである。インテグレータ光学素子３４ｉのレンズ３４ｈ側の入射面に入射した光はインテグレータ光学素子３４ｉ内を導光され、反対側の端面から出射する。インテグレータ光学素子３４ｉは、出射光の光軸に直交する面に沿った出射光の照度分布を均一にするものである。
【００８３】
レンズ３４ｊは、インテグレータ光学素子３４ｉによって導光された赤色光、緑色光及び青色光を光軸変換ミラー３４ｋに向けて投射するとともに、集光する。光軸変換ミラー３４ｋは、レンズ３４ｊによって投射された赤色光、緑色光及び青色光を集光レンズ群３４ｍに向けて反射させる。集光レンズ群３４ｍは、光軸変換ミラー３４ｋによって反射された赤色光、緑色光及び青色光を照射ミラー３４ｐに向けて投射するとともに、集光する。照射ミラー３４ｐは、集光レンズ群３４ｍによって投射された光を表示素子１５に向けて反射させる。照射レンズ３４ｑは、照射ミラー３４ｐによって反射された光を表示素子１５へ投射する。
【００８４】
表示素子１５は反射型の空間光変調器であり、より具体的にはデジタル・マイクロミラー・デバイス（ＤＭＤ）である。なお、表示素子１５が反射型の空間光変調器ではなく、透過型の空間光変調器（例えば、液晶シャッターアレイパネル：いわゆる液晶表示器）であってもよい。表示素子１５が透過型の空間光変調器である場合、光学系３４の光学設計を変更し、投影レンズユニット（投影光学系）４０の反対側から表示素子１５に光を照射するようにする。
【００８５】
投影レンズユニット４０は表示素子１５に対向するように設けられ、投影レンズユニット４０の光軸が前後に延びて表示素子１５に交差（具体的には、直交）する。投影レンズユニット４０は、表示素子１５によって反射された光を前方に投射することによって、表示素子１５によって形成された画像をスクリーンに投影する。この投影レンズユニット４０は、可動レンズ群４１及び固定レンズ群４２等を備える。投影レンズユニット４０は、可動レンズ群４１の移動によって、焦点距離が変更可能であるとともに、フォーカシングが可能である。
【００８６】
なお、図５に示す投影型表示装置１Ａをリアプロジェクション表示装置に適用してもよい。リアプロジェクション表示装置は、透過型スクリーンと、この透過型スクリーンの裏側に設けられ、その透過型スクリーンの裏側からその透過型スクリーンに投影する投影型表示装置１Ａとを備えるものである。透過型スクリーンの形状は矩形状に限らず、人物、動物その他のキャラクタの外形であってもよい。
【００８７】
〔第３の実施の形態〕
図６及び図７を参照して、本発明の第２の実施の形態について説明する。
図６は直視型表示装置１Ｂの平面図であり、図７は直視型表示装置１Ｂの側面図である。この直視型表示装置１Ｂは、図１に示す表示装置１を適用したディスプレイである。つまり、この直視型表示装置１Ｂは、図１に示す映像入力端子１１、映像信号変換部１２、映像信号処理部１３、表示コントローラ１４、表示素子１５、メインコントローラ１６、操作部１７、駆動回路２０及び光源装置３０等を備える。
【００８８】
光源装置３０は面発光型の光源装置である。つまり、この光源装置３０は複数の赤色光源３１、緑色光源３２及び青色光源３３を備えるとともに、導光板３８を備える。
【００８９】
導光板３８は矩形板状の透明板であり、導光板３８の表面が表示素子１５の裏面に対向配置され、表示素子１５の表面が表示面である。導光板３８の各側面には、赤色光源３１、緑色光源３２及び青色光源３３が対向配置されている。赤色光源３１、緑色光源３２及び青色光源３３は蛍光管、冷陰極管その他の放電管であるか、発光ダイオード、有機エレクトロルミネッセンス素子（有機発光ダイオード）その他の半導体発光素子である。
【００９０】
赤色光源３１、緑色光源３２及び青色光源３３が点灯することで、赤色光源３１、緑色光源３２及び青色光源３３によって発せられた光が導光板３８の側面から導光板３８の内部に取り込まれる。一方、導光板３８の裏面には複数の拡散反射部（例えば、凸部、凹部、不透明部等のドット）が形成された上で、更に反射膜が成膜されている。導光板３８の側面から内部に取り込まれた光は導光板３８の内部を反対側の側面へ導光され、その光が拡散反射部によって拡散反射されることによって導光板３８の表面から表示素子１５の裏面に向けて光が出射される。
【００９１】
表示素子１５は、カラーフィルターが設けられていない透過型の液晶ディスプレイパネルである。
【００９２】
以上に本発明の実施形態を説明したが、本発明の技術的範囲は上述の実施の形態に限定するものではなく、特許請求の範囲に記載に基づいて定められる。更に、特許請求の範囲に記載から本発明の本質とは関係のない変更を加えた均等な範囲も本発明の技術的範囲に含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示素子と、
前記表示素子に向けて複数原色の光を発する光源装置と、
前記光源装置の動作モードとして同時モードと順次モードの何れかを選択する選択手段と、
前記選択手段によって同時モードが選択された場合に、前記光源装置に複数原色の光を同時に発せさせ、前記選択手段によって順次モードが選択された場合に、前記光源装置に複数原色の光を順次発せさせる光源制御手段と、を備える、
ことを特徴とする表示装置。
＜請求項２＞
入力される映像信号の映像をカラーからモノクロに変換することを有効及び無効にすることが可能な映像信号処理部と、
前記映像信号処理部によって出力された映像信号に基づき前記表示素子を駆動する表示コントローラと、
前記選択手段によって同時モードが選択された場合に、前記映像信号処理部による映像のカラーからモノクロへの変換を有効にし、前記選択手段によって順次モードが選択された場合に、前記映像信号処理部による映像のカラーからモノクロへの変換を無効にする映像制御手段と、を更に備える、
ことを特徴とする請求項１に記載の表示装置。
＜請求項３＞
入力される映像信号の映像がカラーとモノクロの何れかであるかを判別する判別手段を更に備え、
前記判別手段によってカラーである旨の判別がされた場合に、前記選択手段が順次モードを選択し、前記判別手段によってモノクロである旨の判別がされた場合に、前記選択手段が順次モードを選択する、
ことを特徴とする請求項１又は２に記載の表示装置。
＜請求項４＞
前記光源制御手段は、前記選択手段によって同時モードが選択された場合における前記光源装置による複数原色の光の発光強度を、前記選択手段によって順次モードが選択された場合における前記光源装置による複数原色の光の発光強度よりも低くする、
ことを特徴とする請求項１から３の何れか一項に記載の表示装置。
＜請求項５＞
前記光源装置による複数原色の光の発光強度を個別に調整する駆動回路を更に備える、
ことを特徴とする請求項１から４の何れか一項に記載の表示装置。
＜請求項６＞
前記表示素子によって生成された映像を投影する投影光学系を更に備える、
ことを特徴とする請求項１から５の何れか一項に記載の表示装置。
＜請求項７＞
表示素子と、前記表示素子に向けて複数原色の光を発する光源装置とを有する表示装置を制御する方法において、
前記光源装置の動作モードとして同時モードと順次モードの何れかを選択する選択ステップと、
前記選択手段によって同時モードが選択された場合に、前記光源装置に複数原色の光を同時に発せさせ、前記選択手段によって順次モードが選択された場合に、前記光源装置に複数原色の光を順次発せさせる光源制御ステップと、を備える、
ことを特徴とする表示装置の制御方法。
＜請求項８＞
表示素子と、前記表示素子に向けて複数原色の光を発する光源装置と、を備える表示装置のコンピュータに、
前記光源装置の動作モードとして同時モードと順次モードの何れかを選択する選択機能と、
前記選択機能によって同時モードが選択された場合に、前記光源装置に複数原色の光を同時に発せさせ、前記選択機能によって順次モードが選択された場合に、前記光源装置に複数原色の光を順次発せさせる光源制御機能と、を実現させるためのプログラム。
【符号の説明】
【００９３】
１  表示装置
１Ａ  投影型表示装置
１Ｂ  直視型表示装置
１３  映像信号処理部（判別手段）
１４  表示コントローラ
１５  表示素子
１６  メインコントローラ（コンピュータ、選択手段、光源制御手段、映像制御手段、判別手段）
１６ａ  プログラム
２０  駆動回路
３０  光源装置
４０  投影レンズユニット（投影光学系）
【図１】
2015041022.tif 000003
【図２】
2015041022.tif 000004
【図３】
2015041022.tif 000005
【図４】
2015041022.tif 000006
【図５】
2015041022.tif 000007
【図６】
2015041022.tif 000008
【図７】
2015041022.tif 000009